(57)【要約】【課題】分電盤の既存の取り付け穴に電子式電力量計を設置することを可能にする手段を提供する。【解決手段】電子式電力量計を収容するための収容ケースであって、電子式電力量計の前面、側面、背面をそれぞれ覆うように構成される前面カバーと、側面カバーと、背面カバーと、を備えており、側面カバーは、前面開口及び背面開口を有する筒状部と、前面開口の周囲に形成される取り付け部と、を備えており、取り付け部を介して被設置部に脱着自在に取り付け可能であり、前面カバーは、側面カバーに脱着自在に取り付け可能であり、電子式電力量計が側面カバー内に配置されたとき電子式電力量計の前面を部分的に視認可能にする窓部を有しており、背面カバーは、側面カバーに脱着自在に取り付け可能であり、配電線に接続される端子を受け入れ可能な端子受け入れ穴を備えている、収容ケース。【選択図】  図１
2018059765.tif 000002
【特許請求の範囲】
【請求項１】
電子式電力量計を収容するための収容ケースであって、
前記電子式電力量計の前面、側面、背面をそれぞれ覆うように構成される前面カバーと、側面カバーと、背面カバーと、を備えており、
前記側面カバーは、前面開口及び背面開口を有する筒状部と、前記前面開口の周囲に形成される取り付け部と、を備えており、前記取り付け部を介して被設置部に脱着自在に取り付け可能であり、
前記前面カバーは、前記側面カバーに脱着自在に取り付け可能であり、前記電子式電力量計が前記側面カバー内に配置されたとき前記電子式電力量計の前面を部分的に視認可能にする窓部を有しており、
前記背面カバーは、前記側面カバーに脱着自在に取り付け可能であり、配電線に接続される端子を受け入れ可能な端子受け入れ穴を備えている、
収容ケース。
【請求項２】
前記筒状部が前記被設置部に形成される貫通穴に挿入可能であるように、前記筒状部の横方向断面の寸法が設定されており、前記取り付け部は、前記貫通穴の周囲で前記被設置部に取り付け可能である、請求項１に記載の収容ケース。
【請求項３】
前記側面カバーは、さらに、前記収容ケース内で前記電子式電力量計を位置決めするための位置決め部材を備える、請求項１または２に記載の収容ケース。
【請求項４】
前記前面カバー及び前記側面カバーの一方の外周部に嵌合凸部が設けられており、前記前面カバー及び前記側面カバーの他方の外周部に前記嵌合凸部を受け入れ可能な嵌合凹部が設けられている、請求項１乃至３のいずれか一項に記載の収容ケース。
【請求項５】
請求項１乃至４のいずれか一項に記載の収容ケースと前記収容ケースに収容される電子式電力量計とを備える電子式電力量計ユニット。
【発明の詳細な説明】
【技術分野】
【０００１】
本発明は、電子式電力量計を収容するための収容ケース及び収容ケースと電子式電力量計とを備える電子式電力量計ユニットに関する。
【背景技術】
【０００２】
電力量計は、その駆動手段に関して機械式電力量計と電子式電力量計とに分類することができる。機械式電力量計は、回転子円板や制動磁石及びコイル等の比較的大きな駆動部分を筐体に収容しなければならない。従って、機械式電力量計の全体寸法は、必然的に大きくなる。
【０００３】
近年、高い計測精度や、通信機能等の多機能化の要求に伴い、特に一般家庭において、機械式電力量計から電子式電力量計への移行が進みつつある。電子式電力量計は、機械式電力量計のように大きな部品を必要としないことから、機械式電力量計と比べてかなり小さい寸法を有している。
【０００４】
変電所等の各種事業所で使用される業務用分電盤には、未だに機械式電力量計が多く使用されているのが現状である。分電盤への機械式電力量計の取り付けには、いわゆる埋め込み式の取り付け方法が用いられている。具体的には、分電盤の扉に取り付け用の貫通穴（換言すれば、設置穴または取り付け穴）が形成されており、機械式電力量計はこの貫通穴を通して設置される。機械式電力量計は、計測値の表示部が視認されるように筐体の前面側が外部に露出され、背面側が扉の裏面から分電盤内部に向けて突出した状態で設置される。電力量計と接続された配電線は全て、筐体の背面側から分電盤内部に延びている。
【０００５】
電力量計は、料金取引または証明を前提として使用される場合には、検定が必要であることが計量法で義務付けられており、定期的に交換される。交換のために、機械式電力量計は、回転子等の機械的駆動部品が収容された筐体ごと、分電盤の扉の貫通穴に対して抜き差しされる。その際、電力量計の背面側（すなわち、分電盤の内側）で配電線の着脱作業を行うことが必要とされる。分電盤の扉の開閉作業は煩雑である。また、扉の裏面側の空間は、分電盤内部の各種装置が配置される狭く限られた空間である。
【０００６】
住宅用電力量計と同様に、業務用電力量計についても機械式から電子式への移行が望まれている。しかし、上記したように、電子式電力量計は機械式電力量計と比べて著しく小型化されている。従って、分電盤の既存の取り付け穴を、既存の電子式電力量計の設置に利用することは困難である。
【発明の概要】
【発明が解決しようとする課題】
【０００７】
本発明の一実施形態は、分電盤の既存の取り付け穴に電子式電力量計を設置することを可能にする手段を提供することを目的とする。本発明の一実施形態は、電子式電力量計の交換作業を容易にする手段を提供することを目的とする。本発明の一実施形態は、機械式電力量計から電子式電力量計へのスムーズな移行を可能にする手段を提供することを目的とする。
【課題を解決するための手段】
【０００８】
本発明の一実施形態によれば、電子式電力量計を収容するための収容ケースであって、電子式電力量計の前面、側面、背面をそれぞれ覆うように構成される前面カバーと、側面カバーと、背面カバーと、を備えており、側面カバーは、前面開口及び背面開口を有する筒状部と、前面開口の周囲に形成される取り付け部と、を備えており、取り付け部を介して被設置部に脱着自在に取り付け可能であり、前面カバーは、側面カバーに脱着自在に取り付け可能であり、電子式電力量計が側面カバー内に配置されたとき電子式電力量計の前面を部分的に視認可能にする窓部を有しており、背面カバーは、側面カバーに脱着自在に取り付け可能であり、配電線に接続される端子を受け入れ可能な端子受け入れ穴を備えている、収容ケースが提供される。この構成によれば、既存の電子式電力量計を、分電盤の既存の取り付け穴に設置することができる。また、計器交換のための配電線の脱着作業を、電子式電力量計の前面側からのみ行うことができるので、計器交換作業を容易に行うことができる。
【０００９】
本発明の一実施形態によれば、筒状部が被設置部に形成される貫通穴に挿入可能であるように、筒状部の横方向断面の寸法が設定されており、取り付け部は、貫通穴の周囲で被設置部に取り付け可能である。
【００１０】
本発明の一実施形態によれば、側面カバーは、さらに、収容ケース内で電子式電力量計を位置決めするための位置決め部材を備える。
【００１１】
本発明の一実施形態によれば、前面カバー及び側面カバーの一方の外周部に嵌合凸部が設けられており、前面カバー及び側面カバーの他方の外周部に嵌合凸部を受け入れ可能な嵌合凹部が設けられている。
【００１２】
本発明の一実施形態によれば、上記のいずれかに記載の収容ケースと収容ケースに収容される電子式電力量計とを備える電子式電力量計ユニットが提供される。
【図面の簡単な説明】
【００１３】
【図１】本発明の一実施形態による収容ケースを、電子式電力量計と共に示す分解斜視図である。
【図２】電子式電力量計の正面図である。
【図３】側面カバーの内部を示す図である。
【図４】収容ケースの内部配線を示す図である。
【図５】収容ケースの前方斜視図である。
【図６】収容ケースの後方斜視図である。
【発明を実施するための形態】
【００１４】
以下、添付の図面を参照して、本発明の実施形態を説明する。尚、本明細書中、「上」、「下」、「左」、「右」、「縦」、「横」、「前」、「後」、「正面」、「背面」等の方向を示す用語は、収容ケースが被設置部に設置された使用状態について用いられる。
【００１５】
［収容ケースの全体概要］
図１は、本発明の一実施形態による収容ケース１０を、収容ケース１０に収容される電子式電力量計１００と共に示す分解斜視図である。収容ケース１０は、電子式電力量計１００の前面、側面、背面をそれぞれ覆うように構成される前面カバー１と、側面カバー２と、背面カバー３と、を備えている。前面カバー１は側面カバー２に脱着自在に取り付け可能であり、背面カバー３は側面カバー２に脱着自在に取り付け可能である。尚、一例として、前面カバー１、側面カバー２及び背面カバー３は樹脂製である。
【００１６】
［電子式電力量計について］
図２は、収容ケース１０に収容される電子式電力量計１００の一例を示す正面図である。電子式電力量計１００の前面には、銘板１０１が取り付けられている。銘板１０１は、ＪＩＳ規格により電力量計への取り付けが義務付けられており、計器名称、相及び線式、計器定数等の所定の記載内容が表記されている。銘板１０１は、透明な窓部（符号省略）を通して、電子式電力量計１００の計測値表示部１０２が視認されるように構成されている。図２中、１０３は、電子式電力量計１００を収容ケース１０内に固定するための固定用ねじ（図示せず）を受け入れる取り付け穴を示す。また、１０４は、計測用端子部であり、１０５は、計器の発信及び通信用端子部である。１０６は、計器封印ねじであり、１０７は、封印線（図示せず）を通すための貫通孔を有する封印突起である。しかし、収容ケース１０に収容される電子式電力量計１００の構成は、図示の例に限られない。
【００１７】
［側面カバーについて］
再び図１を参照すると、側面カバー２は、前面開口２１及び背面開口２２を有する筒状部２３と、前面開口２１の周囲に形成される取り付け部２４とを備えている。筒状部２３は、被設置部の既存の取り付け穴に挿入可能であるように横方向断面の寸法が決められている。側面カバー２の構成の一例が、図３により明確に示されている。取り付け部２４は、筒状部２３の前端から周方向且つ外側に延びるフランジの形状を有することができる。側面カバー２は、取り付け部２４を介して、被設置部としての分電盤の扉の前面に脱着自在に取り付け可能である。取り付け部２４には、取り付けのための取り付けねじ１１０（図１参照）を受け入れる取り付け穴２５が形成されている。取り付け穴２５の数及び位置は特に限られないが、既存の設置穴を利用して取り付ける場合には、設置穴の周囲に形成されるねじ穴と整合する位置に形成することができる。これにより、側面カバー２は、筒状部２３が分電盤の扉の設置穴を通して扉の背面側に突出するように配置され、取り付け部２４で扉の前面に固定される。尚、２６は、前面カバー１を封印するための封印ねじ１３（図１参照）を受け入れるねじ孔である。
【００１８】
後述するように、側面カバー２と前面カバー１とは、前後方向の嵌め合いにより互いに取り付けられる。２８は、取り付け部２４の外周部に形成された凸部（換言すれば、嵌合凸部）であり、凸部２８は、後述する前面カバー１の外周凸部１５の間の空間（換言すれば、嵌合凹部）に受け入れられるように構成されている。凸部２８は、外周凸部１５と係合可能であり、これにより、前面カバー１の上下左右の位置ずれを防止するための止め部として機能することができる。本実施形態では、４つの凸部２８が設けられており、各凸部２８は、実質的に矩形状の取り付け部２４の隅部に沿って形成される湾曲した形状を有している。
【００１９】
側面カバー２は、さらに、収容ケース１０内の電子式電力量計１００を位置決めするための位置決め部材２７を備えている。図３の例では、位置決め部材２７は、筒状部２３の内側に配置され、電子式電力量計１００の背面側に配置される基部プレート２７ａと、基部プレート２７ａに固定された複数の位置決め突起２７ｂとを備えている。また、基部プレート２７ａは、電子式電力量計１００を固定するための固定用ねじを受け入れるねじ穴２７ｃを有している。また、基部プレート２７ａは、複数の切欠き２７ｄを有しており、各切欠き２７ｄは、電子式電力量計１００の計測用端子部１０４及び発信及び通信用端子部１０５に接続されるリード線２００を案内するための開口部を形成する。リード線２００は、例えば図４に示すように、切欠き２７ｄを通して側面カバー２内を案内される。尚、リード線２００は、後述する背面カバー３の端子受け入れ穴３１に挿入される端子３５を介して、配電線（換言すれば、分電盤からの引き込み線）に接続される。
【００２０】
電子式電力量計１００は、機械式電力量計と比べて小型化されていることが通常である。従って、位置決め突起２７ｂによって、既存の小型の電子式電力量計１００を容易に位置決めし固定することができる。また、リード線２００を案内する切欠き２７ｄによって、電子式電力量計１００の端子部１０４、１０５とリード線２００との接続を容易に行うことができる。
【００２１】
位置決め突起２７ｂの数、形状、位置は図示のものに限られない。また、位置決め部材２７は、筒状部２３に対して脱着自在に構成されていてもよい。この場合、例えば、単一の側面カバー２に対し、位置決め突起２７ｂの配置が異なる位置決め部材２７を複数用意することにより、位置決め部材２７を交換するだけで、寸法の異なる電子式電力量計１００に容易に対応することができる。
【００２２】
［前面カバーについて］
図５は、電子式電力量計１００が収容され、側面カバー２に前面カバー１及び背面カバー３が装着された、収容ケース１０の前方斜視図である。図６は、図５の収容ケース１０の後方斜視図である。
【００２３】
前面カバー１は、電子式電力量計１００の前面形状に概ね合致する凸状部１１を有し、凸状部１１に、銘板１０１の記載事項、計測値表示部１０２及び計器封印部１０６、１０７を視認可能な窓部１２を有している。窓部１２は、銘板１０１等を直接外部に露出させる開口であってよく、開口内に透明な部材が配置されていてもよい。前面カバー１はさらに、封印ねじ１３と封印線（図示せず）を通すための貫通孔を有する封印突起１４とを有している。封印ねじ１３は、上述のねじ孔２６に挿入される。
【００２４】
前面カバー１は、その外周壁（符号省略）が部分的に切り欠かれており、これにより、複数（本実施形態では４つ）の外周凸部（換言すれば、嵌合凸部）１５が形成されている。本実施形態では、外周凸部１５は、実質的に矩形の前面カバー１の側部に沿って、直線状に延びている。外周凸部１５は、側面カバー２の取り付け部２４の外周部に形成された凸部２８の間の空間（換言すれば、嵌合凹部）に受け入れ可能に構成されている。前面カバー１は、凸部２８の間の空間に外周凸部１５が受け入れられるように、前後方向の嵌め合いにより側面カバー２に取り付け可能である。隣接する外周凸部１５の間に凸部２８が位置することにより、前面カバー１の側面カバー２に対する上下左右方向の位置ずれが防止される。しかし、前面カバー１を側面カバー２に取り付ける方法は、上記に限られない。また、外周凸部１５及び凸部２８の数、形状、位置も図示のものに限られない。
【００２５】
［背面カバーについて］
背面カバー３の構成が、図６に明確に示されている。背面カバー３は、側面カバー２に脱着自在に取り付け可能であり、図示されない分電盤からの引き込み線に接続可能な端子３５を受け入れることができる端子受け入れ穴３１を備えている。端子受け入れ穴３１は、背面カバー本体３２に形成されている。また、背面カバー３は、背面カバー本体３２の外周に沿って且つ収容ケース１０の長さ方向に延びる外周壁３３を有しており、これにより、側面カバー２の後端部を受け入れ可能に構成されている。３４は、背面カバー３を側面カバー２に固定するための固定用ねじを受け入れる取り付け穴である。取り付け穴３４は、側面カバー２の筒状部２３の壁部に形成された図示しないねじ穴と整合する位置に形成されている。しかし、背面カバー３を側面カバー２に取り付ける方法は、上記に限られない。
【００２６】
端子受け入れ穴３１に挿入される各端子３５の一端が、分電盤内部の配電線に接続され、他端が、収容ケース１０のリード線２００と接続される（図１参照）。リード線２００は、図４に示すように、切欠き２７ｄによって電子式電力量計１００の端子部１０４、１０５に案内される。尚、端子受け入れ穴３１の数は特に限られない。本例では、複数の端子受け入れ穴３１のうちの一部のみが使用されているが、電子式電力量計１００の線式等によって、使用される端子受け入れ穴３１の数も異なる。また、端子受け入れ穴３１の配置も図示の例に限られない。
【００２７】
［収容ケースの取り付け方法］
上記したように、住宅用電力量計と同様に、業務用電力量計についても機械式から電子式への移行が望まれているが、業務用の機械式電力量計は、分電盤の扉の設置穴に埋め込み式で取り付けられていることが多い。一方、既存の電子式電力量計は、機械式電力量計に比べて著しく小型化されており、既存の設置穴にそのまま設置することが難しい。
【００２８】
しかし、上記した構成の収容ケース１０を使用することにより、分電盤の既存の設置穴に、電子式電力量計１００を容易に設置することができる。具体的には、既存の設置穴に、側面カバー２の筒状部２３が差し込まれ、取り付け部２４が扉の前面に当接させられる。取り付け部２４の取り付け穴２５を通して、扉の前面で設置穴の周囲に形成されたねじ穴に取り付けねじ１１０が螺合される。これにより、分電盤の扉に側面カバー２を固定することができる。
【００２９】
次に、背面カバー３を側面カバー２に固定することができる。このとき、端子受け入れ穴３１に配置された端子３５の両端に、それぞれ、分電盤からの引き込み線とリード線２００の一端とが接続される。背面カバー３の外周壁３３の内側に側面カバー２が嵌合され、固定用ねじが、取り付け穴３４を通して筒状部２３のねじ穴に螺合される。筒状部２３の内側で、リード線２００の他端が位置決め部材２７の切欠き２７ｄを通して前面開口２１側に引き出される。
【００３０】
次に、側面カバー２内に電子式電力量計１００が挿入される。このとき、位置決め部材２７の位置決め突起２７ｂによって、電子式電力量計１００が基部プレート２７ａ上の所定の取り付け位置に案内される。ねじ穴２７ｃに固定用ねじを螺合することにより、電子式電力量計１００が基部プレート２７ａ、ひいては側面カバー２に固定される。切欠き２７ｄから引き出された各リード線２００が、電子式電力量計１００の端子部１０４、１０５に接続される。
【００３１】
次に、前面カバー１の外周凸部１５が取り付け部２４の凸部２８の間の空間に位置するように、前面カバー１が側面カバー２に嵌め合わされる。隣接する外周凸部１５間に凸部２８が位置することにより、前面カバー１の側面カバー２に対する上下左右方向の位置ずれが防止される。封印ねじ１３が、側面カバー２のねじ孔２６に螺合され、封印線が封印ねじ１３と封印突起１４とに形成された貫通孔に挿通されることにより、前面カバー１の封印が行われる。尚、本実施形態において、封印ねじ１３は、前面カバー１を側面カバー２に固定する機能も有している。
【００３２】
尚、被設置部に対する側面カバー２の固定、側面カバー２に対する電子式電力量計１００の固定、及び、側面カバー２に対する前面カバー１と背面カバー３の固定は、必ずしも上記の手順で行われなくてもよい。例えば、電子式電力量計１００は、背面カバー３が側面カバー２に固定される前に側面カバー２に固定されてよく、側面カバー２が被設置部に固定される前に側面カバー２に固定されてもよい。
【００３３】
［計器交換方法］
検定等のために計器交換が必要な場合は、前面カバー１の封印が解除され、前面カバー１が側面カバー２から取り外される。そして、側面カバー２の前面開口２１を通して配電線の脱着作業が行われる。具体的には、リード線２００を端子部１０４、１０５から取り外し、固定用ねじを緩めて電子式電力量計１００を基部プレート２７ａから取り外すことができる。そして、新しい電子式電力量計１００が位置決め突起２７ｂにより基部プレート２７ａ上に位置決めされ、固定用ねじにより固定される。リード線２００が端子部１０４、１０５に接続された後、再び、前面カバー１が側面カバー２に取り付けられ、封印が施される。こうして、本実施形態によれば、計器交換作業を、電子式電力量計１００の前面からのみ行うことができる。従来の埋め込み式の機械式電力量計と異なり、分電盤の扉を開けて扉の裏面側から作業を行う必要がないので、短時間で容易に計器交換を行うことができる。
【００３４】
尚、収容ケース１０が設置される被設置部の例は、分電盤に限られない。各種建造物の壁面であって、取り付けのための貫通穴を有する壁面であれば、収容ケース１０を取り付け可能である。
【産業上の利用可能性】
【００３５】
本発明は、電子式電力量計の取り付け手段として広く適用することができる。
【符号の説明】
【００３６】
１  前面カバー
２  側面カバー
３  背面カバー
１０  収容ケース
１１  凸状部
１２  窓部
１３  封印ねじ
１４  封印突起
１５  外周凸部（嵌合凸部）
２１  前面開口
２２  背面開口
２３  筒状部
２４  取り付け部
２５  取り付け穴
２６  ねじ孔
２７  位置決め部材
２７ａ  基部プレート
２７ｂ  位置決め突起
２７ｃ  ねじ穴
２７ｄ  切欠き
２８  凸部（嵌合凸部）
３１  端子受け入れ穴
３２  背面カバー本体
３３  外周壁
３４  取り付け穴
３５  端子
１００  電力量計
１０１  銘板
１０２  計測値表示部
１０３  取り付け穴
１０４  計測用端子部
１０５  通信用端子部
１０６  計器封印ねじ
１０７  封印突起
１１０  取り付けねじ
２００  リード線
【図１】
2018059765.tif 000003
【図２】
2018059765.tif 000004
【図３】
2018059765.tif 000005
【図４】
2018059765.tif 000006
【図５】
2018059765.tif 000007
【図６】
2018059765.tif 000008